(57)【要約】    【課題】  隠したいイメージデータが、光表示ユニットによって表示されるデータ隠しカード構造を提供する。    【解決手段】  本考案はデータ隠しカード構造であり、隠したいイメージデータが含まれ、第１の色から形成される隠したいデータ層と、隠したいデータ層の一面上に積層されて、第１の色でイメージが形成される、隠したいデータ層のイメージデータを曖昧にすることを補助するためである曖昧層と、隠したいデータ層のもう一面上に積層されて、第２の色でイメージが形成される、当該隠したいデータ層のイメージデータを曖昧にすることを助ける基板と、当該曖昧層や基板の一面に対応する光表示ユニットと、が含有される。    【選択図】  図１
0003108603.tif 000002
【実用新案登録請求の範囲】
【請求項１】
隠したいイメージデータが含有され、第１の色から形成される隠したいデータ層と、
上記隠したいデータ層の一面上に積層され、第１の色で形成されるイメージがあり、当該隠したいデータ層のイメージデータを曖昧にすることを補助する曖昧層と、
上記隠したいデータ層のもう一面上に積層され、第２の色で形成されるイメージがあり、当該隠したいデータ層のイメージデータを曖昧にすることを助ける基板と、
当該曖昧層や基板の一面に対応して、当該隠したいデータ層上に隠されているイメージデータを表示する光表示ユニットと、
が含有される、ことを特徴とする、データ隠しカード構造。
【請求項２】
当該曖昧層の一面上には、保護層が設置される、ことを特徴とする、請求項1に記載のデータ隠しカード構造。
【請求項３】
当該基板のイメージと当該曖昧層のイメージとは、同一の文字である、ことを特徴とする、請求項1に記載のデータ隠しカード構造。
【請求項４】
当該文字は、直線状に配列される、ことを特徴とする、請求項3に記載のデータ隠しカード構造。
【請求項５】
当該文字は、波状に配列される、ことを特徴とする、請求項3に記載のデータ隠しカード構造。
【請求項６】
各文字の間にブランク間隔が最も少ないように、当該曖昧層の文字を移動する、ことを特徴とする、請求項3に記載のデータ隠しカード構造。
【請求項７】
各文字の間にブランク間隔が最も少ないように、当該基板の文字を移動する、ことを特徴とする、請求項3に記載のデータ隠しカード構造
【請求項８】
当該曖昧層の文字のフォントは、サン  セリフ（san serif）である、ことを特徴とする、請求項1に記載のデータ隠しカード構造。
【請求項９】
当該曖昧層の文字のフォントは、セリフ（serif）である、ことを特徴とする、請求項1に記載のデータ隠しカード構造。
【請求項１０】
当該隠したいデータ層のイメージデータが使用するフォントは、当該曖昧層のイメージが使用するフォントより、点の大きさが大きい、ことを特徴とする、請求項1に記載のデータ隠しカード構造。
【請求項１１】
当該隠したいデータ層のイメージデータが使用する当該フォントは、内部が透明の中抜きである、ことを特徴とする、請求項1に記載のデータ隠しカード構造。
【請求項１２】
当該基板と当該曖昧層とのイメージは、同一で、且つ、互いにずれている状態である、ことを特徴とする、請求項1に記載のデータ隠しカード構造。
【請求項１３】
当該ずれは水平方向に約１．５文字幅である、ことを特徴とする、請求項12に記載のデータ隠しカード構造。
【請求項１４】
当該ずれは垂直方向上で約１．５列の高さである、ことを特徴とする、請求項12に記載のデータ隠しカード構造。
【請求項１５】
当該第２の色は第１の色と異なる、ことを特徴とする、請求項1に記載のデータ隠しカード構造。
【請求項１６】
当該第１、第２の色は、ブルーグリーンや黄色及び紫の色から選ばれる、ことを特徴とする、請求項1に記載のデータ隠しカード構造。。
【請求項１７】
当該第１の色は黄色である、ことを特徴とする、請求項1に記載のデータ隠しカード構造。
【請求項１８】
当該第２の色はブルーグリーンである、ことを特徴とする、請求項1に記載のデータ隠しカード構造。
【請求項１９】
当該隠したいデータ層のイメージデータは文字である、ことを特徴とする、請求項1に記載のデータ隠しカード構造。
【請求項２０】
当該基板は透明である、ことを特徴とする、請求項1に記載のデータ隠しカード構造。
【請求項２１】
当該基板は不透明である、ことを特徴とする、請求項1に記載のデータ隠しカード構造。
【請求項２２】
当該光表示ユニットは外部から基板上に照射する光源である、ことを特徴とする、請求項1に記載のデータ隠しカード構造。
【請求項２３】
当該光源のスペクトルは当該基板を透過するものである、ことを特徴とする、請求項22に記載のデータ隠しカード構造。
【請求項２４】
当該光表示ユニットは曖昧層と対応する光板である、ことを特徴とする、請求項1に記載のデータ隠しカード構造。
【請求項２５】
当該光板のスペクトルは当該曖昧層を透過するものである、ことを特徴とする、請求項1に記載のデータ隠しカード構造。
【請求項２６】
更に、指定データを収集する装置が含有され、その装置には、
電子形式で形成されるイメージである、表示メカニズムと、
イメージが透明や半透明の基板上に印刷される、ゲームカードと、
上記の表示メカニズムに入力されて、関係する情報が表示される、指定データと、
が含有される、ことを特徴とする、請求項1に記載のデータ隠しカード構造。
【請求項２７】
当該電子形式で形成されるイメージは付加光源である、ことを特徴とする、請求項２６に記載のデータ隠しカード構造。
【請求項２８】
当該電子形式で形成されるイメージはイメージが隠されているゲームカードである、ことを特徴とする、請求項２６に記載のデータ隠しカード構造。
【請求項２９】
当該表示メカニズムはインターネット上にあるウェブサイトである、ことを特徴とする、請求項２６に記載のデータ隠しカード構造。
【請求項３０】
当該表示メカニズムは、ウェブサイトで、当該指定データを収集するステップは、第１のウェブページにより、テーブルで行われ、また、当該指定データを収集した後、当該引き受け者には、当該電子形式のイメージを含有する第２のウェブページに対するアクセスする権利が、与えられる、ことを特徴とする、請求項２６に記載のデータ隠しカード構造。
【請求項３１】
当該表示メカニズムは、小売店舗であり、当該指定データを収集するステップの実行は、当該引き受け者が当該メッセージを提供した直後、当該引き受け者に、当該電子形式のイメージを製造する方法にアクセスする権利が与えられるように、行われる、ことを特徴とする、請求項２６に記載のデータ隠しカード構造。
【請求項３２】
当該表示メカニズムは、小売店舗であり、当該ゲームカードには、隠しイメージが含有され、当該引き受け者に対して、当該電子形式のイメージをアクセスする権利が与えられるステップは、当該引き受け者に対して、正確色の付加光源のリソースに対するアクセスする権利が与えられることにより、当該ゲームカード上にある当該隠しイメージをデコードすることにより、行われる、ことを特徴とする、請求項２６に記載のデータ隠しカード構造。
【請求項３３】
更に、表示データを提供する装置が含有され、その装置には、
データを表示するための電子形式で形成されるイメージである、表示メカニズムと、
イメージが、透明や半透明の基板上に印刷される、上記の表示メカニズムの中へ案内して、表示データを提供し、当該表示データを利用して当該電子形式のイメージにアクセスする、ゲームカードと、
が含有される、ことを特徴とする、請求項1に記載のデータ隠しカード構造。
【請求項３４】
当該電子形式で形成されるイメージは付加光源である、ことを特徴とする、請求項３３に記載のデータ隠しカード構造。
【請求項３５】
当該電子形式で形成されるイメージはイメージが隠されているゲームカードである、ことを特徴とする、請求項３３に記載のデータ隠しカード構造。
【請求項３６】
当該表示メカニズムはインターネット上にあるウェブサイトである、ことを特徴とする、請求項３３に記載のデータ隠しカード構造。
【請求項３７】
当該表示メカニズムは、ウェブサイトで、当該指定データを収集するステップは、第１のウェブページにより、テーブルで行われ、また、当該指定データを収集した後、当該引き受け者には、当該電子形式のイメージを含有する第２のウェブページに対するアクセスする権利が与えられる、ことを特徴とする、請求項３３に記載のデータ隠しカード構造。
【請求項３８】
当該表示メカニズムは、小売店舗であり、当該指定データを収集するステップは、当該小売店舗において、当該表示データを見せることにより、当該引き受け者に当該表示データを触れさせる、ことを特徴とする、請求項３３に記載のデータ隠しカード構造。
【請求項３９】
当該表示メカニズムは、小売店舗であり、当該ゲームカードには、隠しイメージが含有され、当該引き受け者に対して、当該電子形式のイメージをアクセスする権利が与えられるステップは、当該引き受け者に対して、正確色の付加光源のリソースに対するアクセスする権利が与えられることにより、当該ゲームカード上にある当該隠しイメージをデコードすることにより、行われる、ことを特徴とする、請求項３３に記載のデータ隠しカード構造。
【請求項４０】
コンピュータスクリーン上に表示され、
隠したいイメージデータが含有され、第１の色から形成される、隠したいデータ層と、
上記隠したいデータ層の一面上に積層され、第１の色で形成されるイメージがあり、隠したいデータ層のイメージデータを曖昧にすることを補助する、曖昧層と、
当該曖昧層の一面に対応して、隠したいデータ層上に隠されているイメージデータを、表示する光表示ユニットと、
が含有される、ことを特徴とする、データ隠しカード構造。
【請求項４１】
当該曖昧層の一面上には、保護層が設置される、ことを特徴とする、請求項40に記載のデータ隠しカード構造。
【請求項４２】
当該曖昧層の文字のフォントは、サン  セリフ（san serif）である、ことを特徴とする、請求項40に記載のデータ隠しカード構造。
【請求項４３】
当該曖昧層の文字のフォントは、セリフ（serif）である、ことを特徴とする、請求項40に記載のデータ隠しカード構造。
【請求項４４】
当該隠したいデータ層のイメージデータが使用するフォントは、当該曖昧層のイメージが使用するフォントより、点の大きさが大きい、ことを特徴とする、請求項40に記載のデータ隠しカード構造。
【請求項４５】
当該隠したいデータ層のイメージデータが使用する当該フォントは、内部が透明の中抜きである、ことを特徴とする、請求項40に記載のデータ隠しカード構造。
【請求項４６】
当該曖昧層のイメージは、同一で、且つ、互いにずれている状態である、ことを特徴とする、請求項40に記載のデータ隠しカード構造。
【請求項４７】
当該ずれは、水平方向に約１．５文字幅である、ことを特徴とする、請求項46に記載のデータ隠しカード構造。
【請求項４８】
当該ずれは、垂直方向上で約１．５列の高さである、ことを特徴とする、請求項46に記載のデータ隠しカード構造。
【請求項４９】
当該第２の色は、第１の色と異なる、ことを特徴とする、請求項40に記載のデータ隠しカード構造。
【請求項５０】
当該第１、第２の色は、ブルーグリーンや黄色及び紫の色から選ばれる、ことを特徴とする、請求項40に記載のデータ隠しカード構造。
【請求項５１】
当該第１の色は黄色である、ことを特徴とする、請求項40に記載のデータ隠しカード構造。
【請求項５２】
当該第２の色はブルーグリーンである、ことを特徴とする、請求項40に記載のデータ隠しカード構造。
【請求項５３】
当該隠したいデータ層のイメージデータは文字である、ことを特徴とする、請求項40に記載のデータ隠しカード構造。
【請求項５４】
当該光表示ユニットは外部から照射する光源である、ことを特徴とする、請求項40に記載のデータ隠しカード構造。
【請求項５５】
当該光源のスペクトルは当該基板を透過するものである、ことを特徴とする、請求項54に記載のデータ隠しカード構造。
【請求項５６】
当該光表示ユニットは曖昧層と対応する光板である、ことを特徴とする、請求項４０に記載のデータ隠しカード構造。
【請求項５７】
当該光板のスペクトルは当該曖昧層を透過するものである、ことを特徴とする、請求項５６に記載のデータ隠しカード構造。
【請求項５８】
更に、指定データを収集する装置が含有され、その装置には、
電子形式で形成されるイメージである表示メカニズムと、
イメージが、透明や半透明の基板上に印刷されるゲームカードと、
上記の表示メカニズムに入力されて、関係する情報が表示される、指定データと、
が含有される、ことを特徴とする、請求項４０に記載のデータ隠しカード構造。
【請求項５９】
当該電子形式で形成されるイメージは付加光源である、ことを特徴とする、請求項５８に記載のデータ隠しカード構造。
【請求項６０】
当該電子形式で形成されるイメージはイメージが隠されているゲームカードである、ことを特徴とする、請求項５８に記載のデータ隠しカード構造。
【請求項６１】
当該表示メカニズムはインターネット上にあるウェブサイトである、ことを特徴とする、請求項５８に記載のデータ隠しカード構造。
【請求項６２】
当該表示メカニズムは、ウェブサイトで、当該指定データを収集するステップは、第１のウェブページにより、テーブルで行われ、また、当該指定データを収集した後、当該引き受け者には、当該電子形式のイメージを含有する第２のウェブページに対するアクセスする権利が、与えられる、ことを特徴とする、請求項５８に記載のデータ隠しカード構造。
【請求項６３】
当該表示メカニズムは、小売店舗であり、当該指定データを収集するステップの実行は、当該引き受け者が当該メッセージを提供した直後、当該引き受け者に、当該電子形式のイメージを製造する方法にアクセスする権利が与えられるように、行われる、ことを特徴とする、請求項５８に記載のデータ隠しカード構造。
【請求項６４】
当該表示メカニズムは、小売店舗であり、当該ゲームカードには、隠しイメージが含有され、当該引き受け者に対して、当該電子形式のイメージをアクセスする権利が与えられるステップは、当該引き受け者に対して、正確色の付加光源のリソースに対するアクセスする権利が与えられることにより、当該ゲームカード上にある当該隠しイメージをデコードすることにより、行われる、ことを特徴とする、請求項５８に記載のデータ隠しカード構造。
【請求項６５】
更に、表示データを提供する装置が含有され、その装置には、
データを表示するための電子形式で形成されるイメージである、表示メカニズムと、
イメージが、透明や半透明の基板上に印刷される、上記の表示メカニズムの中へ案内して、表示データを提供し、当該表示データを利用して当該電子形式のイメージにアクセスする、ゲームカードと、
が含有される、ことを特徴とする、請求項４０に記載のデータ隠しカード構造。
【請求項６６】
当該電子形式で形成されるイメージは付加光源である、ことを特徴とする、請求項６５に記載のデータ隠しカード構造。
【請求項６７】
当該電子形式で形成されるイメージはイメージが隠されているゲームカードである、ことを特徴とする、請求項６５に記載のデータ隠しカード構造。
【請求項６８】
当該表示メカニズムはインターネット上にあるウェブサイトである、ことを特徴とする、請求項６５に記載のデータ隠しカード構造。
【請求項６９】
当該表示メカニズムは、ウェブサイトで、当該指定データを収集するステップは、第１のウェブページにより、テーブルで行われ、また、当該指定データを収集した後、当該引き受け者には、当該電子形式のイメージを含有する第２のウェブページに対するアクセス権利が、与えられる、ことを特徴とする、請求項６５に記載のデータ隠しカード構造。
【請求項７０】
当該表示メカニズムは、小売店舗であり、当該指定データを収集するステップは、当該小売店舗において、当該表示データを見せることにより、当該引き受け者に当該表示データを触れさせる、ことを特徴とする、請求項６５に記載のデータ隠しカード構造。
【請求項７１】
当該表示メカニズムは、小売店舗であり、当該ゲームカードには、隠しイメージが含有され、当該引き受け者に対して、当該電子形式のイメージをアクセスする権利が与えられるステップは、当該引き受け者に対して、正確色の付加光源のリソースに対するアクセスする権利が与えられることにより、当該ゲームカード上にある当該隠しイメージをデコードすることにより、行われる、ことを特徴とする、請求項６５に記載のデータ隠しカード構造。
【考案の詳細な説明】
【技術分野】
【０００１】
本考案は、データ隠しカード構造に関し、特に、当該隠したいイメージデータが、当該光表示ユニットにより表示されるものに関する。
【背景技術】
【０００２】
一般に、従来のものは、多くの形態や環境において、隠しイメージのある基体を提供する必要がある。当該隠しイメージは、言葉、数字、図柄、商標、描き画、写真、記述、ロゴ、メッセージ、形式、或いは他の記号である。例えば、隠しイメージは、ゲームカードに適用される場合、その隠しイメージが表示される時、次のような意味が表現される。
【０００３】
総賭け金においての特別な賞の名称は、表現される。
【０００４】
予めに決められる“当たり”番号に完全にマッチして、賞が得られる特別な番号は、表現される。
【０００５】
予めに決められる“当たり”言葉に完全にマッチして、賞が得られる特別な言葉は、表現される。
【０００６】
賞が得られる特別なイメージや、写真、商標或いは図柄は、表現される。
【０００７】
様々な方法により、隠しイメージの基体は作製される。このような技術は、原理的には、イメージを隠しているゲームカードに適用できる。例えば、一部の提案において、基体上に隠されたイメージがあり、そのイメージは、コーティング層が除去されてから読み取られ、例えば、コーティング層をこそげ取ること、或いは全てや一部のコーティング層を除去することである。
【０００８】
または、基体上にある或るタイプの隠しイメージは、化学溶剤を塗ることにより出現する。または、基体にある或るタイプの隠しイメージは、人造の光や自然光を基体に照射することにより、イメージの中に反応が起こることによって、出現する。
【０００９】
また、米国特許第5，31２６56号は、名が“潜在イメージ付きピクニックトイセット”で、赤いフィルター（特に、ピクニックトイセットにある透明な赤い丸い皿であるもの）により、隠しイメージを表示する発明について、1994
年5月17日付けで、マイケルズ（J. Michaels）に特許が与えられた。また、米国特許第5，401，032号は、名が“神密の謎当てゲーム”で、上記と類似する、赤いフィルターにより隠しイメージを表示するものについて、1995年3月28日付けで、バンハートら(T.
L. Barnhart、 et al.) に特許が与えられた。
【００１０】
しかしながら、イメージを隠すゲームカードを設計して、例えば、コンピュータモニタのような装置に適用させるには、上記のカラーフィルターの技術と異なる方法が必要である。一つのカラーフィルターは、周囲にある自然の光や人造の光を利用して、好ましくない色の光を濾過してもいいし、周囲の光を濾過するのではなく、ゲームカード上に、所定のカラーの光を「増加」してもいい。コンピュータモニタや、類似する装置であれば、ゲームカードを起用する時、必要とする「付加」光を取得するため、ゲームカードを、稼働中のモニタスクリーンにある所定のカラー領域に置くか、正確な周波でカラーの光を射出する装置に置く。これにより、ゲームカードに、いろんな所定のタイプのカラーの光があり、それは、これにより、起用する時、必要とする、隠されているイメージを表示するためである。
【００１１】
この実例の方法によれば、テレビスクリーン上に置かれ、赤い光で起用する、紙で作られるゲームカードが、作製できる。このようなゲームカードにおいては、プリントした赤いと黄色い標線銅板の形式により、ライトブルーで印刷された隠しイメージを隠す。このようなゲームカードに、光源から提供される付加赤い光が一杯である時、当該光は、テレビスクリーン上に投影されて、赤い四角を形成し、ゲームカードに隠されるメッセージは、赤い背景上に黒いイメージがあるように表示される。
【００１２】
しかしながら、テレビスクリーンのような、比較的に高い密度の光源で、紙で作ったゲームカードを起用できるが、コンピュータモニタのような、比較的に低い密度の光源では、起用できない。コンピュータモニタが提供する付加光の強度は、一般的に、80〜120カンデラ（光源の強度は、"カンデラ"と称される標準単位で測定され、1カンデラは、標準化した蝋燭が発出する光である）。コンピュータモニタの低い強度の光は、紙の不透明性により、隠されるイメージを表示できないため、イメージが隠された紙で作られたゲームカードを起用できない。そのため、伝統的な紙で作られる基体は、コンピュータモニタの付加光で起用するゲームカードに、適用されない。
【００１３】
今まで、付加光で起用される、隠しイメージが印刷されているゲームカードは、比較的に重要視されなかった。しかしながら、付加光で起用される、イメージが隠されているゲームカードは、設計として、コンピュータモニタや他の比較的に低い付加光の装置に使用されるものであれば、インクの密度が所定の狭い範囲内にされることは、必要である。密度が高過ぎると、隠しイメージを表示するための付加光は遮られる。密度が低過ぎると、隠されているイメージと隠したいイメージとは認識し難い。
【００１４】
今まで、上記のようなタイプである、イメージが隠されている電子形式ゲームカードを作製する方法はなく、かつ、このようなゲームカードは、例えば、１枚の紙やプラスチック基体である一つの基体上に製造される。そのため、一般の、従来のものは、ユーザーが実際使用する時の需要を満足できなかった。
【特許文献１】米国特許第5，312,656号
【特許文献２】米国特許第5，401，032号
【考案の開示】
【考案が解決しようとする課題】
【００１５】
そのため、本考案の主な目的は、当該隠したいイメージデータは、当該光表示ユニットによって表示されることである。
【課題を解決するための手段】
【００１６】
本考案のデータ隠しカード構造は、隠したいイメージデータが含有され、第１の色から形成される隠したいデータ層と、上記隠したいデータ層の一面上に積層され、第１の色で形成されるイメージがあり、当該隠したいデータ層のイメージデータを曖昧にすることを補助する曖昧層と、上記隠したいデータ層のもう一面上に積層され、第２の色で形成されるイメージがあり、当該隠したいデータ層のイメージデータを曖昧にすることを助ける基板と、当該曖昧層や基板の一面に対応して、当該隠したいデータ層上に隠されているイメージデータを表示する光表示ユニットと、が含有される、ことを特徴とする。
【考案の効果】
【００１７】
本考案のデータ隠しカード構造は、ユーザーが実際使用する時の需要を満足することができる。
【考案を実施するための最良の形態】
【００１８】
図１、２、３Aと３Bは、夫々、本考案の立体分解概念図、本考案の剖面状態概念図、本考案に係わる基板のイメージ概念図である。図のように、本考案はデータを隠すカード構造であり、隠したいデータ層１と、曖昧層２と、基板３と、光表示ユニット４から構成され、隠したいデータ層上に隠されたイメージデータは、当該光表示ユニットによって表示される。
【００１９】
上記のような、隠したいデータ層１には、隠したいイメージデータ１１が含有され、当該隠したいデータ層のイメージデータは、文字であり、また、当該隠したいデータ層１１は、第１の色から形成され、当該第１の色は、ブルーグリーンや黄色い及び紫の色から選ばれ、その中、好ましい実施例は、当該第１の色が黄色であり、当該隠したいデータ層１のイメージデータ１１が使用するフォントは、当該曖昧層２のイメージ２１が使用するフォントより、点の大きさが大きく、また、当該隠したいデータ層１のイメージデータ１が使用する当該フォントは、内部が透明の中抜きであり、
当該曖昧層２は上記の隠したいデータ層１の一面上に積層され、当該曖昧層２は第１の色でイメージ２１が形成され、当該第１の色はブルーグリーンや黄色及び紫色から選ばれ、その中、好ましい実施例は当該第１の色が黄色であり、当該曖昧層２は隠したいデータ層１のイメージデータ１１を曖昧にすることを補助し、当該イメージ２１は文字であり、当該文字のフォントは、サン  セリフ（san serif）やセリフ（serif）であり、また、各文字の間にブランク間隔が最も少ないように、当該曖昧層２の文字を移動し、また、当該曖昧層２の一面上に、さらに、当該曖昧層２上のイメージ２１が汚染されることを防止するための保護層５が設置され、また、当該保護層５は、印刷した図柄５１（或いは図框）でもよく、これにより、反射率が低減され、各層においてのイメージのコントラストが低下され、
当該基板３は上記の隠したいデータ層１のもう一面上に積層され、当該基板３は透明であってもいいし、不透明であっても良く、また、当該基板３は第２の色でイメージ３１が形成され、当該第２の色はブルーグリーンや黄色及び紫色から選ばれ、その中、好ましい実施例は、当該第２の色がブルーグリーンであり、当該第２の色は、上記の第１の色と異なり、また、当該基板３には、当該隠したいデータ層１のイメージデータ１１を曖昧にして隠すことを助ける機能があり、当該基板３のイメージは、当該曖昧層２のイメージとが、同一の文字で、また、当該文字は、直線状に配列され、或いは波状に配列（図３A３Bのように）され、また、当該基板３と当該曖昧層２とのイメージは、同一で、且つ、互いにずれている状態であり、その中、当該ずれは、水平方向に約１．５文字幅であり、当該ずれは、垂直方向に約１．５列の高さであり、
当該光表示ユニット４は、当該曖昧層２や基板３の一面に対応され、隠したいデータ層１上に隠されているイメージデータ１１は、当該光表示ユニット４によって表示され、当該光表示ユニット４は外部から基板３上に照射する光源４０であり、当該光源４０のスペクトルは当該基板３を透過できるものであり、また、当該光表示ユニット４は曖昧層２に対応する光板４１であり、当該光板４１のスペクトルは当該曖昧層２を透過できるものである。上記の構造により、新しいデータ隠しカード構造が構成される。
【００２０】
図４は、本考案の使用状態概念図である。図のように、当該隠したいデータ層１のもう一面上に積層されている基板３が透明であれば、ユーザーは、当該隠したいデータ層１のイメージデータ１１を表示する時、外部光源４０の光表示ユニット４を利用し、当該外部光源４０はコンピュータスクリーンやランプ或いは他の当該基板３を透過できるスペクトルを持つ外部光源４０であり、隠したいデータ層１のイメージデータ１１を表示する時、当該データ隠しカードと当該外部光源４０とを対応させて、当該基板３を当該光源４０上に対応させることにより、当該光源４０は、外部から基板３上に照射し、当該光源４０のスペクトルが当該基板３を透過できるものであるため、ユーザーが基板３と光源４０とを対応させる時、当該曖昧層２と基板３上のイメージ２１、３１とは遮られ、隠したいデータ層１のイメージデータ１１のみが保護層５を透過して表示される。
【００２１】
図５は、本考案のもう一つの使用状態概念図である。図のように、当該隠したいデータ層１のもう一面上に積層されている基板３が不透明であれば、ユーザーは、当該隠したいデータ層１のイメージデータ１１を表示する時、光板４１の光表示ユニット４を利用し、隠したいデータ層１のイメージデータ１１を表示する時、当該データ隠しのカードと当該光板４１とを対応させて、当該曖昧層２の一面と当該光板４１とを対応させることにより、当該光板４１のスペクトルが、当該曖昧層２を透過できるものであるため、ユーザーが曖昧層２と光板７とを対応させる時、当該曖昧層２と基板３上のイメージ２１、３１とは遮られ、隠したいデータ層１のイメージデータ１１のみが保護層５を透過して表示される。
【００２２】
また、本考案は、当該データ隠しカード構造をコンピュータスクリーン上に表示することもでき、それには、当該基板３が省略され、隠したいデータ層１と曖昧層２とが、コンピュータに必要とする電子ファイルとして作製された後、光表示ユニット４と当該コンピュータスクリーンとを対応させることにより、隠したいデータ層１上に隠されているイメージデータ１１は、当該光表示ユニット４により表示される。
【００２３】
本考案は、更に、指定データを収集する装置が含有され、その装置によれば、
（a）表示メカニズムを創出して、当該表示メカニズムは電子形式で形成されるイメージで、当該表示メカニズムはインターネット上のウェブサイトであり、当該電子形式で形成されるイメージは付加光源であり、また、当該電子形式で形成されるイメージはイメージが隠されているゲームカードであり、
（b）透明や半透明の基板上にイメージが印刷されるゲームカードは引き受け者に配布され、
（c）当該ゲームカードを引き受ける者に当該表示メカニズムを閲覧することを指示し、
（d）当該表示メカニズムを閲覧する時、当該引き受け者から指定データを収集し、
（e）その指定データを収集した後、当該引き受け者に対して、電子形式のイメージをアクセスする権利を与え、その中、当該表示メカニズムはウェブサイトで、また、当該指定データを収集するステップは、第１のウェブページにより、テーブルで行われ、また、当該指定データを収集した後、当該引き受け者には、当該電子形式のイメージを含有する第２のウェブページに対するアクセスする権利が与えられ、また、当該表示メカニズムは、小売店舗であってもいいし、また、当該指定データを収集するステップの実行は、当該引き受け者が当該メッセージを提供した直後、当該引き受け者に、当該電子形式のイメージを製造する方法にアクセスする権利が与えられるように行われ、当該ゲームカードには隠しイメージが含有され、また、当該引き受け者に対して当該電子形式のイメージをアクセスする権利が与えられるステップは、当該引き受け者に対して、正確色の付加光源のリソースに対するアクセスする権利が与えられることにより、当該ゲームカード上にある当該隠しイメージをデコードすることにより行われる。
【００２４】
また、本考案は、更に、表示データを提供する装置が含有され、その装置によれば、
（a）表示データを提供することが含有される表示メカニズムを創出して、当該表示メカニズムは電子形式で形成されるイメージで、当該電子形式で形成されるイメージは付加光源であり、当該電子形式で形成されるイメージはイメージが隠されているゲームカードであり、
（b）透明や半透明の基板上にイメージが印刷されるゲームカードは、引き受け者に配布され、
（c）当該ゲームカードを引き受ける者に当該表示メカニズムを訪ねるように案内し、
（d）当該引き受け者が当該表示メカニズムを訪ねる時、当該引き受け者に対して表示データを提供し、その後、
（e）当該引き受け者に対して当該電子形式のイメージに対するアクセスする権利を与え、その中、当該表示メカニズムはインターネット上のウェブサイトであり、当該指定データを収集するステップは第１のウェブページによりテーブルで行われ、また、当該指定データを収集した後、当該引き受け者には当該電子形式のイメージを含有する第２のウェブページに対するアクセスする権利が与えられ、また、当該表示メカニズムは小売店舗でもいいし、また、当該指定データを収集するステップの実行は、当該小売店舗において、当該表示データを見せることにより、当該引き受け者に当該表示データを触れさせることにより行われ、当該ゲームカードには隠しイメージが含有され、また、当該引き受け者に対して、当該電子形式のイメージをアクセスする権利が与えられるステップは、当該引き受け者に対して、正確色の付加光源のリソースに対するアクセスする権利が与えられることにより、当該ゲームカード上にある当該隠しイメージをデコードすることにより、行われる。
【００２５】
以上の説明は、ただ、本考案のより良い実施例であり、本考案の登録請求の範囲は、それにより制限されるものではないため、本考案の登録請求の範囲や考案明細書の内容に従って、簡単な等価変化や修正は、すべてが、本考案の登録請求の範囲に含まれている。
【図面の簡単な説明】
【００２６】
【図１】本考案の立体分解概念図である。
【図２】本考案の剖面状態概念図である。
【図３Ａ】本考案に係わる基板のイメージ概念図である。
【図３Ｂ】本考案に係わる基板のイメージ概念図である。
【図４】本考案の使用状態概念図である。
【図５】本考案のもう一つの使用状態概念図である。
【符号の説明】
【００２７】
１    隠したいデータ層
１１  イメージデータ
２    曖昧層
２１  イメージ
３    基板
３１  イメージ
４    光表示ユニット
４０  光源
４１  光板
５    保護層
５１  図柄
【図１】
0003108603.tif 000003
【図２】
0003108603.tif 000004
【図３Ａ】
0003108603.tif 000005
【図３Ｂ】
0003108603.tif 000006
【図４】
0003108603.tif 000007
【図５】
0003108603.tif 000008